(57)【要約】      （修正有）【課題】下方から収納具をサポートして、多くの物品を収納した場合でも収納具が壁面間にしっかりと係止された状態を維持でき、また、収納具を下方から支持した状態で、容易に支持状態が解除されず安定的に収納具をサポートできる水平杆支持具を提供する。【解決手段】相対向する壁面間に差し渡されて係止された水平杆を下方から支持するための水平杆支持具１であって、床面と水平杆との間に立設される支柱体２の上端部に、水平杆と当接する水平杆受け部３が設けられてなり、前記水平杆受け部における水平杆に当接する箇所に、滑り止め部材が設けられているようにした。【選択図】図２
0003167739.tif 000002
【実用新案登録請求の範囲】
【請求項１】
相対向する壁面間に差し渡されて係止された水平杆を下方から支持するための水平杆支持具であって、
床面と水平杆との間に立設される支柱体の上端部に、水平杆と当接する水平杆受け部が設けられてなり、
前記水平杆受け部における水平杆に当接する箇所に、滑り止め部材が設けられていることを特徴とする水平杆支持具。
【請求項２】
水平杆受け部は、その上端部が二股形状であって、該二股形状部において水平杆と当接するようになされ、
該二股形状部の水平杆に当接する箇所に、滑り止め部材が設けられていることを特徴とする請求項１記載の水平杆支持具。
【請求項３】
二股形状部は、略Ｕ字形状となされ、該Ｕ字形状部内側の底部に滑り止め部材が設けられていることを特徴とする請求項２記載の水平杆支持具。
【請求項４】
支柱体は伸縮自在であって、長さ調節が可能なものとなされていることを特徴とする請求項１乃至３のいずれかに記載の水平杆支持具。
【請求項５】
滑り止め部材は、樹脂シートまたはゴムシートであることを特徴とする請求項１乃至４のいずれかに記載の水平杆支持具。
【請求項６】
支柱体の下端部に端部キャップを更に備えたことを特徴とする請求項１乃至５のいずれかに記載の水平杆支持具。
【考案の詳細な説明】
【技術分野】
【０００１】
本考案は、壁面間に水平杆を突っ張らせるようにして設置されるハンガー掛けや収納棚などの収納具を、下方から支持するための水平杆支持具に関するものである。
【背景技術】
【０００２】
従来より、室内やクローゼット内などの相対向する壁面間に水平杆部材を差し渡して取り付け、これに洋服や小物などを引っ掛けて収納できるようにしたり、あるいは水平杆部材上に棚部材を配して物品を載置することが可能な収納棚を形成したりして、様々な物品を収納できるようにした収納具が用いられている。
【０００３】
この種の収納具の多くは、水平杆部材が伸縮自在であって、その長さ調節が可能なものを利用している。そして、この水平杆部材の長さ調節によって水平杆部材の両端部がそれぞれ当接する壁面を押圧するようにし、その状態で水平杆の長さを固定して、水平杆を相対向する壁面間に係止させる。このようにして壁面間に係止された水平杆に、ハンガーなどを引っ掛けることにより、洋服など様々な物品を収納することができる。また、複数の水平杆を平行して壁面間に差し渡し、更に当該複数の水平杆に棚板などを差し渡して設置することにより収納棚を形成して、当該収納棚に様々な物品を載置して収納することを可能としたものもある。この点、このように複数の水平杆と棚板とを組み合わせてセット販売される収納棚製品は従来から数多くあり、更に上記水平杆と棚板が一体として構成されたものも広く知られている。
【０００４】
上述した従来の収納具によれば、各種タンスやラック、収納ボックスなどの外壁部を有する容積の大きい箱物収納具を用いる必要がなく、相対向する壁面さえあれば、どこにでも収納スペースを創出することが可能である。また、上述した従来の収納具によれば、その設置や設置場所の変更、撤去等も非常に容易であり、撤去して保管しておく場合でも大して邪魔にならない。更に、このような従来の収納具によれば、水平杆の長さ寸法を調節することにより、設置しようとするスペースに応じて寸法変更が容易であるから、様々な場所に設置可能である。
【先行技術文献】
【特許文献】
【０００５】
【特許文献１】実開平０６−０４５５８０号公報
【特許文献２】特開２００１−１１６４５０号公報
【考案の概要】
【考案が解決しようとする課題】
【０００６】
しかしながら、上記従来の収納具によれば、水平杆の両端部が当接する壁面を押圧する力のみによって壁面間に係止されているので、それほど強固に係止されているわけではない。ゆえに、あまり多くの物品を収納しようとすると、その重みに耐えられず、収納具が壁面から脱落してしまうという問題があった。あるいは、収納する物品の重みで水平杆の中央部が垂れ下がるようにして弓なりに曲がってしまい、これによって水平杆の両端部が当接する壁面を押圧するという効果が得られなくなって、やはり収納具が壁面から落ちてしまうという問題があった。
【０００７】
本考案は、上記のような問題点を克服するためになされたものであり、下方から収納具をサポートして、多くの物品を収納した場合でも収納具が壁面間にしっかりと係止された状態を維持するようにした水平杆支持具を提供することを目的とする。
【０００８】
また、収納具を下方から支持した状態で、容易に支持状態が解除されず安定的に収納具をサポートできる水平杆支持具を提供することを目的とする。
【課題を解決するための手段】
【０００９】
上記課題を解決するため、本考案に係る水平杆支持具は、相対向する壁面間に差し渡されて係止された水平杆を下方から支持するための水平杆支持具であって、床面と水平杆との間に立設される支柱体の上端部に、水平杆と当接する水平杆受け部が設けられてなり、前記水平杆受け部における水平杆に当接する箇所に、滑り止め部材が設けられていることを特徴とする。
【００１０】
本考案に係る水平杆支持具によれば、床面と水平杆との間に立設され、水平杆を下方から支持するので、多くの物品を収納した場合でも収納具が壁面間にしっかりと係止された状態を維持することが可能となる。また、水平杆受け部における水平杆に当接する箇所に滑り止め部材が設けられており、水平杆受け部が水平杆に対して滑ることがないため、容易に水平杆支持具が倒れるようなことがなく、それゆえ、安定的に収納具をサポートできる。
【００１１】
尚、上記「床面」は、所謂部屋の床面のみを指すものではなく、それに限定されない。ここでいう「床面」は、前記のほか、例えば押入れ内の棚部の上面であってもよく、デスクやタンスなど家具の天板の上面などであってもよい。
【００１２】
本考案に係る水平杆支持具において、水平杆受け部は、その上端部が二股形状であって、該二股形状部において水平杆と当接するようになされ、該二股形状部の水平杆に当接する箇所に、滑り止め部材が設けられているようにすることもできる。
【００１３】
このようにすれば、二股形状部が水平杆を挟持するようにして、水平杆支持具を立設することが可能なので、より安定的に水平杆を支持することが可能となる。
【００１４】
また、本考案に係る水平杆支持具において、二股形状部は、略Ｕ字形状となされ、該Ｕ字形状部内側の底部に滑り止め部材が設けられているようにしてもよい。このようにすれば、略円筒形状を有する水平杆を確実に、安定的に保持して支持することができる。
【００１５】
さらに、本考案に係る水平杆支持具において、支柱体は伸縮自在であって、長さ調節が可能なものとなされているようにすることもできる。このようにすれば、収納具を設置する高さ位置に応じて、水平杆支持具を立設することが可能となる。
【００１６】
また、本考案に係る水平杆支持具において、滑り止め部材は、樹脂シートまたはゴムシートであることとしてもよい。このようにすれば、水平杆との間に充分な摩擦効果が得られるので、水平杆支持具が容易に倒れなくなる。
【００１７】
さらに、本考案に係る水平杆支持具において、支柱体の下端部に端部キャップを更に備えるようにしてもよい。このようにすれば、支柱体の下端部が床面に接する面積を大きくすることができるので、水平杆支持具のより安定的な設置が可能となる。
【考案の効果】
【００１８】
以上のとおり、本考案に係る水平杆支持具によれば、床面と水平杆との間に立設され、水平杆を下方から支持するので、多くの物品を収納した場合でも収納具が壁面間にしっかりと係止された状態を維持することが可能となる。また、水平杆受け部における水平杆に当接する箇所に滑り止め部材が設けられており、水平杆受け部が水平杆に対して滑ることがないため、容易に水平杆支持具が倒れるようなことがなく、それゆえ、安定的に収納具をサポートできる。
【図面の簡単な説明】
【００１９】
【図１】本考案に係る水平杆支持具の一実施形態を示す図であり、押入れの上段のスペースに設置した使用状態の一例を示す図である。
【図２】図１に示した水平杆支持具の（ア）正面図、および（イ）側面図である。
【図３】図１に示した水平杆支持具における水平杆受け部近傍の斜視図である。
【図４】図１に示した水平杆支持具における水平杆受け部の（ア）平面図、（イ）正面図、（ウ）底面図、及び（エ）右側面図である。
【図５】図４における（ア）Ａ−Ａ線断面図、及び（イ）Ｂ−Ｂ線断面図であり、滑り止め部材（ゴムシート）配設した状態を示す図である。
【図６】図５と同様の断面図であって、滑り止め部材（ゴムシート）を配設していない状態を示す図である。
【図７】水平支持具を２本利用した使用状態を示す図である。
【考案を実施するための形態】
【００２０】
以下、本考案に係る水平杆支持具を実施するための形態を、図面に基づいて詳細に説明する。
【００２１】
図１は、本考案に係る水平杆支持具１の一実施形態を示したものであり、一般家庭に従来からある押入れ内に設置した状態を表したものである。
【００２２】
図１に示すように、押入れ上段のスペースＳに水平杆Ｐ及び水平杆支持具１が設置されている。水平杆Ｐは、所謂ハンガー掛けであり、伸縮自在の水平杆Ｐの両端部がそれぞれ押入れの両側壁Ｓ１、Ｓ２を押圧するようにして当該両側壁面間に差し渡され、係止されている。ここに示した水平杆Ｐは、略円筒形状の第一水平杆Ｐ１と該第一水平杆Ｐ１の内径と同じか僅かに小さい外径を有する第二水平杆Ｐ２とを備えていて、第二水平杆Ｐ２が第一水平杆Ｐ１内に嵌挿自在となされている。また、第一水平杆Ｐ１と第二水平杆Ｐ２は、接続部Ｐ３を介して長さ調節自在に接続される。さらに、水平杆Ｐの両端部には端部キャップＰ４、Ｐ４が設けられている。
【００２３】
接続部Ｐ３は、第一水平杆Ｐ１の端部に固着された接続キャップＰ３１と、固定ネジＰ３２とを備えている。接続キャップＰ３１は略円筒形状であって、その周側壁には外周面から内周面へ挿通するねじ孔（図示せず）が設けられており、該ねじ孔内にはネジ溝が形成されている。このねじ孔へ固定ネジＰ３２に形成されたネジ部を螺合して締め付けることにより、螺合されたネジ部の先端が第二水平杆Ｐ２の外周面を押圧して、これにより第二水平杆Ｐ２は第一水平杆Ｐ１に対して固定される。尚、言うまでもなく、このとき水平杆Ｐの両端部が押入れの両側壁Ｓ１、Ｓ２を押圧するように水平杆Ｐの全長を調節した状態で固定ネジＰ３２を螺合して締め付け、第二水平杆Ｐ２を固定する。
【００２４】
水平杆支持具１は、上述したように、設置された水平杆Ｐをその下方から支持するためのものである。この実施形態における水平杆支持具１は、図１〜２に示すように、支柱体２と、支柱体２の上端部に嵌着された水平杆受け部３と、支柱体２の下端部に嵌着された下端部キャップ４とを備えている。水平杆支持具１は、下端に設けた端部キャップ４を押入れの棚板Ｓ３上に接地させると共に、上端の水平杆受け部３において水平杆Ｐを支持するようにして水平杆Ｐに係止させることにより、立設されている。
【００２５】
支柱体２は、伸縮自在となされ、その構成は上述した水平杆Ｐとほぼ同様であるが、略円筒形状の第一支柱体２１と、該第一支柱体２１の内径と同じか僅かに小さい外径を有する第二支柱体２２とを備えていて、当該第二支柱体２２は、第一支柱体２１内に嵌挿自在となされている。また、第一支柱体２１と第二支柱体２２とは、接続ジョイント２３を介して長さ調節自在に接続される。
【００２６】
接続ジョイント２３は、第一支柱体２１の端部に固着されたジョイントキャップ２３１と、調節ネジ２３２とを備えている。ジョイントキャップ２３１は略円筒形状であって、その周側壁には外周面から内周面へ挿通するネジ孔（図示せず）が設けられており、該ネジ孔にはねじ溝が形成されている。このネジ孔へ調節ネジ２３２に形成されたネジ部を螺合して締め付けることにより、螺合されたネジ部の先端が第二支柱体２２の外周面を押圧して、これにより第二支柱体２２を第一支柱体２１に対して固定することができるようになされている。
【００２７】
水平杆受け部３は、図３〜６に示すような形態を備えている。すなわち、支柱体２（第二支柱体２２）の上端部に嵌着されるキャップ部３１と、水平杆Ｐと当接しこれを支持する受け部３２とを備え、これらが一体的に形成されている。キャップ部３１は下方に開口した略円筒形状を有しており、この開口部３１１を第二支柱体２２の上端部に被せた状態で、側壁に形成されたネジ孔３１２にネジ（図示せず）を螺合することにより、水平杆受け部３は第二支柱体２２の上端部に固定される。
【００２８】
受け部３２は、先端方向（上方）に向かって二股に枝分かれした二股形状部３２１を備えている。図３や図４（イ）等に表れているように、この実施形態においては、前記二股形状部３２１は略Ｕ字形状を有するとともに、その先端部（上端部）において互いに離れる方向へ延びる斜面部３２１ａが形成されている。
【００２９】
また、二股形状部３２１内側の底部（最奥部）３２２には、略直方体形状に凹部３２２ａが形成されており、該凹部３２２ａ内に滑り止め部材５としてゴムシートが両面テープにより貼り付けられて配設されている。ゴムシート５は、二股形状部３２１内側の円周面形状（円弧形状）の延長線よりも僅かに上方へ突出する厚みを有している（図５はゴムシート５を配設した状態、図６はゴムシート５を配設しない状態を示した断面図である）。
【００３０】
この点、二股形状部３２１内側の空間部Ｎに水平杆Ｐが配され、当該二股形状部３２１の内側に水平杆Ｐが当接することにより、図１に示すように水平杆Ｐがその下方から支持されるのであるが、この実施形態であれば通常、水平杆Ｐの底部が二股形状部３２１内側の底部３２２の上に載置されるようにして支持される。この二股形状部３２１内側の底部３２２にゴムシート５を配設することにより、このゴムシート５上に水平杆Ｐの底部が載置されるようにして当接するので、水平杆支持具１が水平杆Ｐに対して滑る恐れが非常に少なくなる。
【００３１】
尚、この実施形態においては、水平杆Ｐの長さ方向（図１における左右方向）へ、水平杆受け部３が水平杆Ｐに対して滑る可能性がある。それゆえ、ゴムシート５は、水平杆Ｐの長さ方向（図１における左右方向）へ長く延びるように配されるのが好ましい。
【００３２】
この点につき更に付言すると、水平杆Ｐ（第一水平杆Ｐ１及び第二水平杆Ｐ２）は、鋼管にＰＥ樹脂やＰＶＣ樹脂等の合成樹脂を被覆したものや鋼管表面に塗装を施したものなどが多く使用される。また、水平杆受け部３やジョイントキャップ２３１等は、ＡＢＳ樹脂やＰＰ樹脂などにより作製される。これらのみの組み合わせによれば、すなわち滑り止め部材５を配設しない場合においては、水平杆受け部３と水平杆Ｐとが互いに容易に滑ってしまって、水平杆支持具１が倒れてしまう恐れが多分にある。特に、例えば図１において、水平杆支持具１の左右いずれかの水平杆Ｐに偏って多くの物を掛けたりすると、その反対側へ水平杆支持具１が倒れ易くなる。
【００３３】
尚、ここで示した実施形態においては、水平杆受け部３はＡＢＳ樹脂により作製されたものであるが、これに限られない。ＡＢＳ樹脂と同様に成形可能であって所定の強度を備えていれば他の樹脂材料、金属材料、木材、その他任意の材料を適宜選択して用いることが可能である。また、ここで例示した水平杆Ｐ（第一水平杆Ｐ１及び第二水平杆Ｐ２）は、鋼管の表面をＰＥ樹脂被覆したものであるが、これに限られない。鋼管を他の樹脂材料で被覆したものやステンレス箔で被覆したもの、あるいは同様に成形可能であって所定の強度を備えた合成樹脂材料、金属材料、木材、その他任意の材料により形成された水平杆に対しても、本考案に係る水平杆支持具１を適用可能である。
【００３４】
また、図１に示した実施形態においては、水平杆支持具１を一本で使用しているが、図７に示すように２本同時に使用するようにしてもよい。また、３本以上使用するようにしてもよく、そのようにすれば、水平杆Ｐはより確実に支持される。
【００３５】
以上、本考案に係る水平杆支持具について、具体的な実施形態を示して説明したが、本考案は、これらの実施形態に限られるものではなく、本考案の趣旨を逸脱しない範囲で様々に形態等を変更することが可能なものである。
【符号の説明】
【００３６】
１    水平杆支持具
２    支柱体
３    水平杆受け部
５    ゴムシート
Ｐ    水平杆
Ｓ    押入れ内のスペース
【図１】
0003167739.tif 000003
【図２】
0003167739.tif 000004
【図３】
0003167739.tif 000005
【図４】
0003167739.tif 000006
【図５】
0003167739.tif 000007
【図６】
0003167739.tif 000008
【図７】
0003167739.tif 000009